(57)【要約】      （修正有）【課題】小さな散水孔を多数個開けた散水板を用いたシャワーヘッドにおいて噴射水の温度低下を抑え、肌に当るときに寒く感じることが無いシャワーヘッドを提供する。【解決手段】最も外周側に環状に配列された散水孔９の大きさを直径０．４ｍｍ以上で０．５ｍｍ以下にすることにより、上記環状列の散水孔より放出される噴射水が太くなって熱容量が大きなり、空気に触れても冷め難くなるので、冬場などに温水シャワーを浴びるとき、設定温度よりも肌に当るシャワー水の温度が低くなる、などの不具合を低減することができる。【選択図】図２
0003179378.tif 000002
【実用新案登録請求の範囲】
【請求項１】
シャワーヘッド本体に多数の散水孔を開設した散水部を設け、散水部の最も外周側に環状に配列された散水孔の大きさを直径０．４ｍｍ以上で０．５ｍｍ以下とし、この環状列より内側に配置された散水孔の大きさを上記環状列の散水孔より小さくしかしながら０．２５ｍｍ以上としたことを特徴とするシャワーヘッド。
【請求項２】
最も外周側の環状列よりも内側に配置された散水孔の大きさを直径０．２５ｍｍないし０．３６ｍｍとし、散水部の総開口面積を２５ｍｍ２以下で１５ｍｍ２以上にしたことを特徴とする請求項１に記載のシャワーヘッド。
【考案の詳細な説明】
【技術分野】
【０００１】    本考案は、一般家庭やホテルのバスルーム、銭湯などの浴場等で使用されるシャワーヘッドに関する。
【背景技術】
【０００２】    一般に、バスルームや浴場等で使用されるシャワーヘッドは、シャワーホースに接続されるシャワーヘッド本体の先端に散水板を設けて構成されている。シャワーホースを通じて供給される水又はお湯は、シャワーヘッド本体内を通り、散水板に形成した多数個の散水孔よりシャワー水として放出される。【０００３】    従来から知られている標準的なシャワーヘッドは合成樹脂製の散水板を用い、その散水孔は直径が０．８ｍｍ程度であり、孔数が８０個前後であって、総開口面積は大よそ４０ｍｍ２程度となっているものが多かった。このような場合、散水板の総開口面積が大きいので必要以上の水又はお湯が放出されている。
これに対し、実用新案登録第３１５００７６号公報に記載されているように、散水板をステンレスの薄板で構成し、この散水板に直径０．１ｍｍないし０．６ｍｍ程度、具体的には、０．２５ｍｍないし０．３６ｍｍ程度の小さな散水孔を、総計で２３０個ないし３００個形成したシャワーヘッドが提供されている。
このようなシャワーヘッドは、従来に比べて散水板の総開口面積が小さくなっており、通水量が絞られるので節水作用を生じる。
しかも、各噴射孔から噴射される１本づつの噴射水流が細くなるので、衝突エネルギーが低くなり、肌当たりも柔らかくなる。
【先行技術文献】
【特許文献】
【０００４】
【特許文献１】  実用新案登録第３１５００７６号公報
【考案の概要】
【考案が解決しようとする課題】
【０００５】    しかしながら、このように直径０．２５ｍｍないし０．３６ｍｍ程度の小さな散水孔を多数個開けたシャワーヘッドの場合、お湯を噴出したとき、設定温度に比べて肌当たり温度が低く感じる場合がある。これは、小さな散水孔を多数個開けたため各散水孔から噴射される１本づつの噴射水流は細くなり、熱容量が低くなるので、散水板を飛び出して使用者の肌に到達するまでの間に空気に触れて冷やされることにより湯温が下がる。このため、冬場などに温水シャワーを浴びると、肌に当るシャワー水の温度が設定温度よりも低くなることがあった。【０００６】  本考案はこのような事情にもとづきなされたもので、小さな散水孔を多数個開けた散水板を用いたシャワーヘッドにおいて噴射水の温度低下を抑え、肌に当るときに寒く感じることが無いシャワーヘッドを提供しようとするものである。
【課題を解決するための手段】
【０００７】  上記課題を解決するため本考案の請求項１に係る考案は、シャワーヘッド本体に設けた散水部は、最も外周側に環状に配列された散水孔の大きさを直径０．４ｍｍ以上で０．５ｍｍ以下とし、この環状列より内側に配置された散水孔の大きさを上記散水列の散水孔よりも小さくしかしながら０．２５ｍｍ以上としたシャワーヘッドが提供される。
請求項２の考案は、請求項１に記載のシャワーヘッドであって、最も外周側の環状列よりも内側に配置された散水孔の大きさを直径０．２５ｍｍないし０．３６ｍｍとし、散水部の総開口面積を２５ｍｍ２以下で１５ｍｍ２以上にしたシャワーヘッドが提供される。
【考案の効果】
【０００８】    請求項１の考案によれば、散水部の最も外周側に環状列となって配置された散水孔の直径を０．４ｍｍ以上で０．５ｍｍ以下としたので、これら散水孔より放出される噴射水は相対的に太くなり、熱容量が大きくなって散水孔から飛び出して肌に当るまでの間に空気に触れても冷め難くなる。そして、上記環状列の散水孔よりも内側に設けられた散水孔は、直径が小さくても上記環状列から放出される噴射水に囲まれているために保温されるとともに外側の冷たい空気を巻き込む割合が少なく、よって温度低下は少ない。このようなことから、冬場などに温水シャワーを浴びるとき、設定温度よりも肌に当るシャワー水の温度が低くなる、といった不具合を低減することができる。
請求項２の考案によれば、最も外周側の環状列よりも内側に配置された散水孔の大きさを直径０．２５ｍｍないし０．３６ｍｍとし、散水部の総開口面積を２５ｍｍ２以下で１５ｍｍ２以上としたから、総開口面積が小さく、よって通水量が絞られ、節水作用を奏するとともに、各孔から放出される噴射水流は細いので衝突エネルギーが小さくなり、肌当たりが柔らかくなる。
【図面の簡単な説明】
【０００９】
【図１】  本考案の一実施例を示し、シャワーヘッドの一部断面した側面図
【図２】  同実施例の散水孔の配置を示す散水板の正面図
【考案を実施するための形態】
【００１０】
【実施例１】
【００１１】  以下本考案について、一実施例を図１および図２にもとづき説明する。図１は浴室用シャワーヘッドの一部断面して示す側面図、図２は散水板の正面図である。
図において、１はシャワーヘッド本体であり、互いに連通するヘッド部２と握り部３を備えている。握り部３の根元には導入口４が形成されており、この導入口４は図示ないシャワーホースに連結される。
このヘッド部２の先端には散水板５が取り付けられている。この散水板５は、ヘッド部２に対して押えリング６によって脱着可能に取り付けられているとともに、ゴムなどのシール材７により水密が保たれている。【００１２】    散水板５はステンレスの薄板からなり、このステンレス薄板は板厚０．４ｍｍ、直径５０ｍｍ程度の円盤をなしている。この散水板５には多数の散水孔８…、９…がフォトエッチング加工にて形成されている。これら散水孔８…、９…の配置は、図２に示すように、以下の通りになっている。すなわち、散水板５の中心部には、直径１３ｍｍの円の中に、直径０．２８ｍｍの散水孔８…が、６列の同心環状列を成して合計１４０個形成されているとともに、その周囲の直径２７ｍｍの円周上に、直径０．３２ｍｍの散水孔８…が合計２０個、環状列をなして形成されている。そして、さらに最も外周側に位置する直径４０ｍｍの円周上に、直径０．４ｍｍの散水孔９…が９０個、環状列をなして形成されている。
したがって、この散水板５では、散水板５の孔数は合計２５０個であり、総開口面積Ａは２１．５ｍｍ２となっている。【００１３】  上記構造のシャワーヘッドにあっては、シャワーヘッド本体１をシャワーホースに連結して給水栓を開けると、水道水（又はお湯）がシャワーホースを通じてシャワーヘッド本体１に供給される。この水は握り部３からヘッド部２内を流れ、散水板５の散水孔８…および９…を通ってシャワー水となって噴射される。
本実施例の散水板５は総開口面積が２１．５ｍｍ２となっており、従来から知られている標準なシャワーヘッドの開口面積のほぼ４０ｍｍ２に比べて小さくなっているため、単位時間当たりの通水量が節減され、節水効果を奏する。
そして、散水板５に設けた散水孔８…、９…は、孔径を細くしてあるので細い水流が多数本噴射されるようになり、これら各噴射水の衝突エネルギーは小さいので、肌に当る感触が柔らかく肌当たりが良好になる。【００１４】    そして、散水板５における最も外周側に環状列となって配置された散水孔９…の直径を０．４ｍｍとしたので、これら散水孔９…より放出される噴射水は相対的に太くなり、熱容量が大きくて散水孔９…から飛び出して肌に当るまでの間に空気に触れても冷め難くなる。
そして、上記環状列の散水孔９…よりも内側に形成した散水孔８…は、直径が小さくても上記環状列から放出される噴射水に囲まれているために保温され、外側の冷たい空気を巻き込む割合も少なく、よって冷たい空気に触れる割合が少ないので温度低下は少ない。
このようなことから、冬場などに温水シャワーを浴びるとき、設定温度よりも肌に当るシャワー水の温度が低くなる、といった不具合を低減することができる。【００１５】  なお、最も外周側に環状列となって配置される散水孔９…の直径は、０．４ｍｍ以上で０．５ｍｍ以下が良い。これが０．４ｍｍ未満であると温水の温度低下を感じるようになり、また０．５ｍｍを超えると総開口面積が大きくなって、節水効果が低くなる。
また、散水板の総開口面積は、２５ｍｍ２以下で１５ｍｍ２以上がよく、２５ｍｍ２を越えると節水効果が低くなり、また１５ｍｍ２未満であると水量が少な過ぎて、シャワーを浴びる効果がなくなる。
【産業上の利用可能性】
【００１６】  以上説明した通り本考案によれば、散水部の最も外周側に環状列となって配置された散水孔の直径を０．４ｍｍ以上で０．５ｍｍ以下としたので、これら散水孔より放出される噴射水の熱容量が大きくなって肌に当るまでの間に冷め難くなる。このため、冬場などに温水シャワーを浴びるとき、設定温度よりも肌に当るシャワー水の温度が低くなる、といった不具合を低減することができる。
【符号の説明】
【００１７】  １…シャワーヘッド本体
５…散水板
８、９…散水孔
【図１】
0003179378.tif 000003
【図２】
0003179378.tif 000004